(57)【要約】 【課題】  ディスク駆動用モータの回転特性の評価工程を効率的に行い、かつ清浄性を良好に維持することを可能とする。【解決手段】  ディスク駆動用モータＭに装着した測定用ディスク３２をディスク搭載面２２ｂとの間に挟持するディスク保持体３１を設け、そのディスク保持体３１には、ディスク駆動用モータＭ内に配置された磁性部材に対し磁気的吸引作用を及ぼす固定マグネット３３を配置したことによって、従来のような取付作業が面倒で汚染の原因となる固定ネジの締め付けや取り外しを行うことなく測定用ディスク３２の固定を可能としたもの。【選択図】     図３
2005137113.tif 000002
【特許請求の範囲】
【請求項１】
ディスク駆動用モータのディスク実装状態における回転特性を評価すべく、前記ディスク駆動用モータのディスク搭載面上に載置した測定用ディスクを不動状態に固定する回転特性評価用治具であって、
前記測定用ディスクを、前記ディスク搭載面との間部分に挟持するディスク保持体を備え、
そのディスク保持体には、前記ディスク駆動用モータの内部に配置された磁性部材に対して磁気的吸引作用を及ぼすことによって前記ディスク搭載面に前記測定用ディスクを軸方向に押し付ける固定マグネットが設けられていることを特徴とするディスク駆動用モータの回転特性評価治具。
【請求項２】
前記測定用ディスクが、前記ディスク保持体に予め一体的に取り付けられていることを特徴とする請求項１記載のディスク駆動用モータの回転特性評価治具。
【請求項３】
前記固定マグネットの表面には、該固定マグネットから発生する磁性片または磁性粉の脱落を防止するコーティング層が形成されていることを特徴とする請求項１記載のディスク駆動用モータの回転特性評価治具。
【請求項４】
前記測定用ディスクが、記録ヘッドにより情報の記録または再生が行われるリアルディスクであることを特徴とする請求項１記載のディスク駆動用モータの回転特性評価治具。
【請求項５】
前記測定用ディスクが、記録ヘッドにより情報の記録または再生が行われるリアルディスクに相当するダミーディスクであることを特徴とする請求項１記載のディスク駆動用モータの回転特性評価治具。
【発明の詳細な説明】
【技術分野】
【０００１】
本発明は、ディスク実装状態における回転特性を評価するために用いられるディスク駆動用モータの回転特性評価治具に関する。
【背景技術】
【０００２】
近年、ハードディスクなどの情報記録再生用ディスクを用いたＨＤＤ（ハードディスク駆動装置）などに採用されるディスク駆動用モータは、ディスクの高密度化および高速回転化とともに装置の小型化が急速に行われつつあり、ディスクを装着した状態における回転特性に対しても非常に高精度な特性が要求されるようになって来ている。そのため、完成したディスク駆動用モータに対しては、情報記録ディスクを実装した状態またはそれと等価な状態で、回転時におけるＲＲＯやＮＲＲＯなどの諸特性を測定する必要性が生じている。
【０００３】
例えば図４の場合においては、記録ヘッドにより情報の記録または再生が行われるリアルディスク１を、ディスク駆動用モータ２に実装した状態で回転諸特性の評価を行うようにしている。この場合には、まずディスク駆動用モータ２のディスク搭載面２ａ上にリアルディスク１が載置され、そのリアルディスク１の表面上にスペーサ２ｂが装着される。そして、上記ディスク駆動用モータ２の回転軸２ｃに対して、クランプ板２ｄが固定ネジ２ｅにより締め付け固定され、そのクランプ板２ｄの外周部分に設けられた凸部２ｆが、上述したスペーサ２ｂを介してリアルディスク１を軸方向（図示下方）に押圧することによって、ディスク搭載面２ａとスペーサ２ｂとの間にリアルディスク１が不動状態に挟持されるようになっている。
【０００４】
また図５の場合には、上述したリアルディスク１に相当するダミーディスク３が用いられており、そのダミーディスク３の中心ボス部３ａが、ディスク駆動用モータ４のディスク搭載面４ａ上に載置された後、上記ディスク駆動用モータ４の回転軸４ｂに固定ネジ４ｃによりクランプ板４ｄが締め付け固定され、そのクランプ板４ｄの外周凸部４ｅによって上記ダミーディスク３の中心ボス部３ａが軸方向（図示下方）に押圧され、それによって上記ディスク搭載面４ａ上にダミーディスク３が不動状態に固定されるようになっている。
【発明の開示】
【発明が解決しようとする課題】
【０００５】
ところが、このようないずれの回転特性評価方式においても、クランプ板を固定ネジにより締め付けてディスクの固定を行うようにしているため、回転特性評価の工程に多大の時間を要することとなっており、それが製品コストの上昇の原因にもなっている。また、評価後の固定ネジは、再び緩めて取り外されるため、その固定ネジの取り外しの際に、当該固定ネジの頭部などから摩耗粉が発生して、ＨＤＤ（ハードディスク駆動装置）などにおいて要求されている清浄性を汚染することがあり、その結果、いわゆるコンタミ・ハーティクル不良を引き起こすおそれもある。
【０００６】
そこで本発明は、回転特性の評価工程を効率的に実行することができるとともに、その評価工程時における清浄性を良好に維持することができるようにしたディスク駆動用モータの回転特性評価治具を提供することを目的とする。
【課題を解決するための手段】
【０００７】
前記目的を達成するために本発明の請求項１にかかるディスク駆動用モータの回転特性評価治具では、ディスク駆動用モータのディスク搭載面上に載置された測定用ディスクを前記ディスク搭載面との間部分に挟持するディスク保持体を備え、そのディスク保持体には、前記ディスク駆動用モータの内部に配置された磁性部材に対して磁気的吸引作用を及ぼすことによって前記ディスク搭載面に測定用ディスクを軸方向に押し付ける固定マグネットが設けられている。
このような構成を有する本発明の請求項１にかかるディスク駆動用モータの回転特性評価治具によれば、ディスク駆動用モータのディスク搭載面上に載置された測定用ディスクが、ディスク保持体に設けられた固定マグネットの磁気的吸引作用によってディスク搭載面上に押し付けられるようにして固定されることとなり、従来のような取付作業が面倒で汚染の原因にもなる固定ネジの締め付けや取り外しを行う必要がなくなる。そのため、ディスク駆動用モータの回転特性の評価工程が効率的に行われるとともに、固定ネジの取り外しの際に生じていた摩耗粉の発生がなくなり、回転特性の評価工程における清浄性も良好に維持されるようになっている。
【０００８】
また、本発明の請求項２にかかるディスク駆動用モータの回転特性評価治具では、上記請求項１における測定用ディスクが、ディスク保持体に予め一体的に取り付けられている。
このような構成を有する請求項２にかかるディスク駆動用モータの回転特性評価治具によれば、測定用ディスクの装着工程がディスク保持体と一体的に行われるため、回転特性の評価工程が一層効率的に行われることとなる。
【０００９】
さらに、本発明の請求項３にかかるディスク駆動用モータの回転特性評価治具では、上記請求項１における固定マグネットの表面に、該固定マグネットから発生する磁性片または磁性粉の脱落を防止するコーティング層が形成されている。
このような構成を有する請求項３にかかるディスク駆動用モータの回転特性評価治具によれば、固定マグネットに対する清浄性がコーティング層によって確実に確保されることとなり、回転特性の評価工程における清浄性が極めて良好に維持されるようになっている。
【００１０】
さらにまた、本発明の請求項４にかかるディスク駆動用モータの回転特性評価治具では、上記請求項１における測定用ディスクが、記録ヘッドにより情報の記録または再生が行われるリアルディスクである。
このような構成を有する請求項４にかかるディスク駆動用モータの回転特性評価治具によれば、リアルディスクを搭載しなければ測定ができないＲＲＯやＮＲＲＯなどのような回転特性の測定が効率的かつ清浄に行われることとなる。
【００１１】
また、本発明の請求項５にかかるディスク駆動用モータの回転特性評価治具では、上記請求項１における測定用ディスクが、記録ヘッドにより情報の記録または再生が行われるリアルディスクに相当するダミーディスクである。
このような構成を有する請求項５にかかるディスク駆動用モータの回転特性評価治具によれば、リアルディスクのダミーディスクを用いた場合おいても、回転特性の測定が効率的かつ清浄に行われるようになっている。
【発明の効果】
【００１２】
以上のように本発明にかかるディスク駆動用モータの回転特性評価治具は、ディスク駆動用モータに装着した測定用ディスクをディスク搭載面との間に挟持するディスク保持体を設け、そのディスク保持体に、ディスク駆動用モータ内に配置された磁性部材に対し磁気的吸引作用を及ぼす固定マグネットを配置したことによって、従来のような取付作業が面倒で汚染の原因となる固定ネジの締め付けや取り外しを行うことなく測定用ディスクの固定を可能として、ディスク駆動用モータの回転特性の評価工程を効率的に行い、かつ清浄性を良好に維持するように構成したものであるから、ディスク駆動用モータの生産性を向上させると同時に、ディスク駆動用モータの信頼性を高めることができる。
【発明を実施するための最良の形態】
【００１３】
以下、本発明の実施の形態を図面に基づいて詳細に説明するが、それに先立って、まず動圧軸受装置を採用したハードディスク駆動装置（ＨＤＤ）用のスピンドルモータの概要を説明することとする。
【００１４】
図１に示されている軸回転／アウターロータ型のスピンドルモータの全体は、固定部としてのステータ組１０と、そのステータ組１０に対して図示上側から組み付けられた回転部としてのロータ組２０を含む構成になされている。
【００１５】
このうちのステータ組１０は、図示を省略したハードディスク駆動装置（ＨＤＤ）の本体プレートにネジ止めされるベースフレーム１１を有している。そのベースフレーム１１の略中央部分に形成された筒状のスリーブ保持部材（軸受装着部材）１２の内周側には、中空円筒状に形成された動圧軸受部材としての軸受スリーブ１３が挿通されており、接着剤等を用いることによって固定されている。この軸受スリーブ１３は、その加工を容易化するためにリン青銅などの銅系材料からなり、軸方向両端に開口部を有する軸受用中心孔が形成されている。また、前記スリーブ保持部材１２の外周面には、放射状に突出したステータコアの突極部にステータコイル１４を巻装したステータコア部１５が嵌着されている。
【００１６】
さらに、前記軸受スリーブ１３の軸受用中心孔内には、前記ロータ組２０の一部を構成する軸部材としての回転軸２１が、回転中心軸Ｘの回りに回転自在となるように挿入されている。本実施形態における回転軸２１は、ステンレス鋼から形成されている。
【００１７】
そして、前記軸受スリーブ１３の内周面に形成された動圧面は、前記回転軸２１の外周面に形成された動圧面に対して半径方向に微少隙間を介して対向するように配置されており、その微少隙間部分にラジアル動圧軸受部ＲＢが軸方向に２箇所形成されている。これらの各ラジアル動圧軸受部ＲＢにおける軸受スリーブ１３側の動圧面と、回転軸２１側の動圧面とは、数μｍのラジアルギャップを介して対向配置されており、そのラジアルギャップを含む軸受空間内に、例えばエステル系あるいはポリαオレフィン系の潤滑性オイル等の潤滑流体が注入されている。
【００１８】
そして、前記軸受スリーブ１３および回転軸２１の両動圧面の少なくとも一方側には、図示を省略した例えばヘリングボーン形状のラジアル動圧発生用溝が、軸方向に２ブロックに分かれて凹設されており、前記回転軸２１の回転駆動時において、当該ラジアル動圧発生用溝のポンピング作用により潤滑流体が加圧されて動圧力を生じ、その動圧力によって前記回転軸２１が前記軸受スリーブ１３からラジアル方向に浮上して非接触状態に保持され、それによって前記回転軸２１に固着された回転ハブ体２２が回転自在に支持される構成になされている。
【００１９】
一方、軸受スリーブ１３の図示下端側に設けられた開口部は、カバー１３ａにより閉塞されており、各ラジアル動圧軸受部ＲＢ内の潤滑流体が外部に漏出しない構成になされている。また、前記軸受スリーブ１３の図示上端面と、上述した回転ハブ体２２の中心側部分における図示下端面とは、軸方向に近接した状態で対向するように配置されており、それら軸受スリーブ１３の図示上端面と、回転ハブ体２２の図示下端面との間の軸方向対向領域に、スラスト動圧軸受部ＳＢが設けられている。すなわち、そのスラスト動圧軸受部ＳＢを構成している前記両対向動圧面１３，２２の少なくとも一方側には、例えばへリングボーン形状のスラスト動圧発生溝（図示省略）が形成されており、そのスラスト動圧発生溝を含む軸方向対向部分がスラスト動圧軸受部ＳＢになされている。
【００２０】
このようなスラスト動圧軸受部ＳＢを構成している軸受スリーブ１３の図示上端面側の動圧面と、それに近接対向する回転ハブ体２２の図示下端面側の動圧面とは、数μｍの微少隙間を介して軸方向に対向配置されているとともに、その微少隙間からなる軸受空間内に、上述したラジアル動圧軸受部ＲＢと同様の潤滑流体が、そのラジアル動圧軸受部ＲＢから連続するように充填されていて、回転駆動時に、上述したスラスト動圧発生溝のポンピング作用によって前記潤滑流体が加圧されて動圧力を生じ、その潤滑流体の動圧力によって回転軸２１および回転ハブ体２２が、スラスト方向に浮上した非接触状態で軸支持されるように構成されている。
【００２１】
さらに、上述した軸受スリーブ１３の外周側には、前述したスラスト動圧軸受部ＳＢを含む軸受空間内に充填された潤滑流体の外部漏出を、毛細管力と回転遠心力の双方を利用して防止する複合流体シール部ＣＳが画成されている。この複合流体シール部ＣＳは、前述したスラスト動圧軸受部ＳＢを含む軸方向のスラスト対向領域に対して半径方向外方側に連設されるように設けられたものであって、当該複合流体シール部ＣＳの内周側傾斜壁面が、上述した軸受スリーブ１３の外周側表面により形成されているとともに、前記複合流体シール部ＣＳの外周側傾斜壁面が、前記軸受スリーブ１３に対して半径方向外方側に対向するように配置された抜け止め部材としての環状胴部材２５の内周側表面により形成されている。
【００２２】
前記環状胴部材２５は、略リング状に形成された中空環状部材から形成されたものであって、当該環状胴部材２５の外周側の部位を形成している板状のハブ取付部２５ａが、上述した回転ハブ体２２に設けられた固定部２２ｃにより固着されている。前記固定部２２ｃは、前記回転ハブ体２２の図示下端面であって前記スラスト動圧軸受部ＳＢの半径方向外方側の領域において、軸方向（図示下方向）に突出するように形成されている。そして、その固定部２２ｃに対して、前記環状胴部材２５のハブ取付部２５ａを外方側から覆うようにカシメ等による塑性変形が施される構成になされており、その固定部２２ｃの塑性変形によって、前記環状胴部材２５のハブ取付部２５ａが強固な固定状態になされるようになっている。
【００２３】
また、前記軸受スリーブ１３の図示上端部分には、半径方向外方側に張り出すように突出する抜止め係止鍔部１３ｂが設けられており、その抜止め係止鍔部１３ｂの一部が、上述した環状胴部材２５の本体部２５ｂの図示上面側に対して軸方向に対向するように配置されている。そして、これら両部材１３ｂ，２５ｂが軸方向に当接可能に配置されていることによって、前記回転ハブ体２２が軸方向に抜け出すことを防止する構成になされている。この軸受スリーブ１３における抜止め係止鍔部１３ｂの半径方向外方側には、上述した環状胴部材２５のハブ取付部２５ａが配置されており、前記抜止め係止鍔部１３ｂの外周壁面に対して、前記環状胴部材２５のハブ取付部２５ａの内周壁面が、半径方向外方側から対面するように配置されている。
【００２４】
一方、前記回転軸２１とともにロータ組２０を構成している回転ハブ体２２は、磁気ディスク等の各種の情報記録媒体ディスクを搭載可能とするように略カップ状に形成されており、当該回転ハブ体２２の中心部に設けられた接合穴に対して前記回転軸２１の上端部分が圧入や焼き嵌めあるいは接着等の固定手段によって固定されている。
【００２５】
前記回転ハブ体２２は、その外周部にロータ部を構成するための環状胴部２２ａを有しており、その環状胴部２２ａの外周面に対して、図示を省略したハードディスク（情報記録ディスク）が軸方向に挿通されるようにして装着されるようになっている。また、上記環状胴部２２ａの直下位置には、上記環状胴部２２ａの外周面から半径方向に張り出すようにしてディスク搭載面２２ｂが環状に形成されており、そのディスク搭載面２２ｂ上には、上述したハードディスク（情報記録ディスク）が軸方向に載置され、図示を省略したクランパにより図示上方側から軸方向に押圧されることによって不動状体に支持されるようになっている。
【００２６】
また、上記環状胴部２２ａの内周面側には、周方向に一定間隔でＮＳ交互に着磁が施された円筒状のロータマグネット２２ｃが装着固定されており、それによってロータ部が構成されている。そのロータマグネット２２ｃは、上述したステータコア部１５の外周面に対して環状に対向するように近接配置されている。
【００２７】
また、前記ロータマグネット２２ｃの軸方向下端面は、上述したベースフレーム１１側に取り付けられた磁気吸引板１６と軸方向に対面する位置関係になされており、これら両部材２２ｂ，１６どうしの間の磁気的吸引力によって、上述した回転ハブ体２２の全体が軸方向に引き付けられ、安定的な回転状態が得られる構成になされている。
【００２８】
次に、このような構成を有するハードディスク駆動装置（ＨＤＤ）用のスピンドルモータに対する回転諸特性を測定するように構成された本発明にかかる回転特性評価治具の一実施形態を説明する。
【００２９】
すなわち、図２に示されているディスク駆動用モータの回転特性評価治具３０は、上述したハードディスク駆動装置（ＨＤＤ）用のスピンドルモータの回転ハブ体２２に装着されるディスク保持体３１を有している。このディスク保持体３１は、略円盤状の部材から形成されており、当該ディスク保持体３１の外周側部分には、厚肉のディスク取付部３１ａがリング状をなすように形成されている。
【００３０】
上記のディスク取付部３１ａの内周面３１ｂは、前述したディスク駆動用モータの回転ハブ体２２の外周面に密着した状態で挿通されるように、上記回転ハブ体２２における環状胴部２２ａの外径寸法とほぼ同径の内径寸法を有するように形成されている。また、そのディスク取付部３１ａにおける図示下面側には、測定用ディスク３２が、接着剤または両面テープを用いて同心状に固着されている。本実施形態において採用された測定用ディスク３２は、図示を省略した記録ヘッドにより情報の記録または再生が行われるリアルディスクから形成されているが、リアルディスクに相当するダミーディスクを採用することも可能である。
【００３１】
また、上記ディスク保持体３１の中心部分には、空気逃し穴３１ｃが軸方向に貫通するように形成されているとともに、その空気逃し穴３１ｃを同心状に取り囲むようにして、リング状の固定マグネット３３が同心状に取り付けられている。この固定マグネット３３は、上記ディスク保持体３１の図示上面側に埋設されるようにして取り付けられており、前述したディスク駆動用モータの内部に配置されたコア、ヨーク、マグネット等の各種磁性部材に対して磁気的吸引作用を及ぼすように配置されている。
【００３２】
このとき、上記固定マグネット３３の図示上面側の露出表面には、該固定マグネット３３から発生する可能性のある磁性片または磁性粉の脱落を防止するために、接着剤等からなるコーティング層が形成されている。
【００３３】
さらに、上記固定マグネット３３の外周側には、ディスク保持体３１の全体を取り扱い操作するための取っ手３４が、上記ディスク保持体３１の図示上面側から軸方向に所定量だけ突出するように設けられている。
【００３４】
このような回転特性評価治具３０は、前述したハードディスク駆動装置（ＨＤＤ）用のスピンドルモータの回転ハブ体２２に対して、例えば図３に示されているようにして装着される。すなわち、この回転特性評価治具３０を装着するにあたっては、まず、当該回転特性評価治具３０のディスク保持体３１に設けられた取っ手３４を操作することにより、前記ディスク取付部３１ａの内周面３１ｂを、前述したディスク駆動用モータＭの回転ハブ体２２に位置合わせしながら、当該回転ハブ体２２の環状胴部２２ａの外周面に対してディスク保持体３１を軸方向に挿通するようにして嵌め込む。
【００３５】
このようにディスク保持体３１を装着した状態では、上述したリアルディスクからなる測定用ディスク３２が、ディスク駆動用モータＭのディスク搭載面２２ｂ上に載置されることとなるが、そのとき、上述した固定マグネット３３の磁気的吸引作用によって、ディスク保持体３１の全体が図示下方側、すなわち上述したディスク駆動用モータＭ側に向かって付勢されることとなり、その付勢力によって、上記測定用ディスク３２は、ディスク搭載面２２ｂ上に軸方向に押し付けられるようにして不動の固着状態になされる。
【００３６】
つまり、上述した本実施形態にかかる回転特性評価治具３０によれば、ディスク保持体３１をディスク駆動用モータＭに装着するだけで、ディスク駆動用モータＭのディスク搭載面２２ｂ上に測定用ディスク３２が載置されるとともに、その測定用ディスク３２は、ディスク保持体３１に設けられた固定マグネット３３の磁気的吸引作用によってディスク搭載面２２ｂ上に軸方向に押し付けられるようにして固定されることとなる。
【００３７】
従って、従来のような取付作業が面倒で汚染の原因にもなる固定ネジの締め付けや取り外しを行う必要がなくなり、その結果、ディスク駆動用モータＭに対する回転特性の評価工程が効率的に行われるとともに、固定ネジの取り外しの際に生じていた摩耗粉の発生がなくなり、その回転特性の評価工程における清浄性も良好に維持されるようになっている。
【００３８】
特に本実施形態では、測定用ディスク３２がディスク保持体３１に予め一体的に取り付けられていることから、測定用ディスク３２の装着工程がディスク保持体３１と一体的に行われることとなり、回転特性の評価工程は一層効率的に行われるようになっている。
【００３９】
さらに本実施形態では、固定マグネット３３の表面に形成されたコーティング層よって、該固定マグネット３３から発生する磁性片または磁性粉の脱落を防止したことによって、清浄性を確実に確保するようにしていることから、回転特性の評価工程における清浄性は極めて良好に維持される。
【００４０】
さらに本実施形態では、測定用ディスク３２が、記録ヘッドにより情報の記録または再生が行われるリアルディスクであることから、リアルディスクを搭載しなければ測定ができないＲＲＯやＮＲＲＯなどのような回転特性の測定が効率的かつ清浄に行われるようになっている。
【００４１】
以上、本発明者によってなされた発明を実施形態に基づいて具体的に説明したが、本発明は前記実施形態に限定されるものではなく、その要旨を逸脱しない範囲で種々変形可能であるというのは言うまでもない。
【００４２】
例えば、上述した各実施形態は、ハードディスク駆動装置（ＨＤＤ）用のスピンドルモータの回転特性評価治具に対して本発明を適用したものであるが、その他の多種多様な回転特性評価治具に対しても本発明は同様に適用することができるものである。
【産業上の利用可能性】
【００４３】
以上述べた本発明は、各種モータを始めとして多種多様なディスク駆動用モータに対して用いられる回転特性評価治具として広く採用することが可能である。
【図面の簡単な説明】
【００４４】
【図１】本発明を適用する軸回転型のＨＤＤ用スピンドルモータの概略構造を表した縦断面説明図である。
【図２】本発明の一実施形態における回転特性評価治具の概略構造を表した縦断面説明図である。
【図３】図２に表された回転特性評価治具をディスク駆動用モータに装着した状態を表した縦断面説明図である。
【図４】従来におけるディスク駆動用モータの回転特性評価工程の一例を表した縦断面説明図である。
【図５】従来におけるディスク駆動用モータの回転特性評価工程の他の例を表した縦断面説明図である。
【符号の説明】
【００４５】
３０  回転特性評価治具
３１  ディスク保持体
３１ａ  ディスク取付部
３２  測定用ディスク
３３  固定マグネット
３４  取っ手
Ｍ  ディスク駆動用モータ
２２  回転ハブ体
２２ｂ  ディスク搭載面
【図１】
2005137113.tif 000003
【図２】
2005137113.tif 000004
【図３】
2005137113.tif 000005
【図４】
2005137113.tif 000006
【図５】
2005137113.tif 000007